(57)【要約】【課題】ナメクジを確実に駆除することができ、しかも駆除したナメクジの処理も簡単に行うことができるナメクジ駆除器を提供する。【解決手段】ナメクジ駆除器１をナメクジが潜んでいそうな場所の近傍に配置しておくと、誘引剤Ｓに誘引されて切り欠き１２から屋根部３内に進入する。更にナメクジは容器２１へ入り込み誘引剤Ｓを食べて駆除される。容器２１にナメクジＮがある程度溜まったところで屋根部３の上部７を下部５から外して容器２１を露出させる。次いで、棒状体２３の上端部を摘んで持ち上げ、孔２５から挿入凸部１９を抜き、容器２１をベース１３から外す。そして、容器２１内のナメクジＮを捨てる。【選択図】        図３
2007151422.tif 000002
【特許請求の範囲】
【請求項１】
ナメクジ誘引剤を入れる上面が開口する容器と、前記容器の上方を覆う屋根部と、前記屋根部に形成されたナメクジの進入口とを有することを特徴とするナメクジ駆除器。
【請求項２】
請求項１に記載したナメクジ駆除器において、容器が載置され、地面等に設置されるベースを備えたことを特徴とするナメクジ駆除器。
【請求項３】
請求項１から２のいずれかに記載したナメクジ駆除器において、容器には上方に向かって突出する持ち手が設けられていることを特徴とするナメクジ駆除器。
【請求項４】
請求項２また３に記載したナメクジ駆除器において、ベースに載置した容器が転倒しないように固定する転倒防止手段を備えたことを特徴とするナメクジ駆除器。
【請求項５】
請求項４に記載したナメクジ駆除器において、転倒防止手段は、ベースに設けられ上方へ向かって延びる挿入凸部と、容器に設けられ容器の底面に開口を有し上方へ向かって延びる孔が形成された柱状体とから成り、前記挿入凸部を前記柱状体の孔に嵌めて容器をベースに設置することを特徴とするナメクジ駆除器。
【請求項６】
請求項２から５のいずれかに記載したナメクジ駆除器において、屋根部は下部と上部とに分割可能であり、ベースは前記下部に取り付けられ、上部を下部から外すとベース上に備えられた容器が露出することを特徴とするナメクジ駆除器。
【請求項７】
請求項１から６のいずれかに記載したナメクジ駆除器において、屋根部の上端には指を入れることができる直径のリングが取り付けられていることを特徴とするナメクジ駆除器。
【請求項８】
請求項１から７のいずれかに記載したナメクジ駆除器において、屋根部は外形がほぼ円錐状に形成されていることを特徴とするナメクジ駆除器。
【発明の詳細な説明】
【技術分野】
【０００１】
本発明はナメクジ駆除器に係り、特に屋外に設置可能で駆除したナメクジの処理を簡単に行うことができるナメクジ駆除器に関するものである。
【背景技術】
【０００２】
ナメクジは菜園等において植物の新芽や蕾を食い荒らす害虫であり、駆除する必要がある。
【発明の開示】
【発明が解決しようとする課題】
【０００３】
しかしながら、日中はプランターの下等目立たない所に潜んでおり、雨天の日や湿度の高い夜間に活動して植物を食い荒らすため、割り箸で摘んで捕獲する等の方法で駆除が大変である。また、かなりグロテスクで、しかも体が粘液で覆われているため割り箸等の道具を用いても、ナメクジを扱うのはかなり抵抗感がある。
本発明は上記従来の問題点に着目して為されたものであり、設置しておくだけでナメクジを駆除することができ、しかも駆除したナメクジの処理も簡単に行うことができるナメクジ駆除器を提供することを目的とする。
【課題を解決するための手段】
【０００４】
本発明は上記課題を解決するためになされたものであり、請求項１の発明は、請求項１に記載したナメクジ駆除器において、容器は載置され、地面等に設置されるベースを備えたことを特徴とするナメクジ駆除器である。
【０００５】
請求項２の発明は、請求項１に記載したナメクジ駆除器において、容器が載置され、地面等に設置されるベースを備えたことを特徴とするナメクジ駆除器である。
【０００６】
請求項３の発明は、請求項１から２のいずれかに記載したナメクジ駆除器において、容器には上方に向かって突出する持ち手が設けられていることを特徴とするナメクジ駆除器である。
【０００７】
請求項４の発明は、請求項２また３に記載したナメクジ駆除器において、ベースに載置した容器が転倒しないように固定する転倒防止手段を備えたことを特徴とするナメクジ駆除器である。
【０００８】
請求項５の発明は、請求項４に記載したナメクジ駆除器において、転倒防止手段は、ベースに設けられ上方へ向かって延びる挿入凸部と、容器に設けられ容器の底面に開口を有し上方へ向かって延びる孔が形成された柱状体とから成り、前記挿入凸部を前記柱状体の孔に嵌めて容器をベースに設置することを特徴とするナメクジ駆除器である。
【０００９】
請求項６の発明は、請求項２から５のいずれかに記載したナメクジ駆除器において、屋根部は下部と上部とに分割可能であり、ベースは前記下部に取り付けられ、上部を下部から外すとベース上に備えられた容器が露出することを特徴とするナメクジ駆除器である。
【００１０】
請求項７の発明は、請求項１から６のいずれかに記載したナメクジ駆除器において、屋根部の上端には指を入れることができる直径のリングが取り付けられていることを特徴とするナメクジ駆除器である。
【００１１】
請求項８の発明は、請求項１から７のいずれかに記載したナメクジ駆除器において、屋根部は外形がほぼ円錐状に形成されていることを特徴とするナメクジ駆除器である。
【発明の効果】
【００１２】
本発明のナメクジ駆除器によれば、設置しておくだけでナメクジを駆除することができる。また駆除したナメクジの処理も簡単に行うことが可能である。
また、リングに指を入れてぶら下げるようにすれば、数個のナメクジ駆除器を簡単に持ち運ぶことができる。
【発明を実施するための最良の形態】
【００１３】
本発明の実施の形態に係るナメクジ駆除器１を図面にしたがって説明する。
符号３はプラスチック製の屋根部を示し、この屋根部３は中空で図１に示すように外形がほぼ円錐状に形成されている。図２に示すように屋根部３は下部５と上部７とに分割可能であり、下部５の上面は開口しており、この開口の縁に沿って嵌合部９が形成されている。この嵌合部９に上部７の下面開口が嵌まり込み、下部５に上部７が連結できる。上部７の上端には指を入れることができる直径２．５ｃｍほどのリング１１が取り付けられている。
【００１４】
下部５の下端部には、ナメクジの進入口となる６つの矩形の切り欠き１２が形成されている。また下部５には、その下面の開口を閉鎖するようにベース１３が取り付けられている。ベース１３のベース本体１５は皿を伏せた形状であり、下面側が凹んでいる。またベース本体１５の下面の中心には支持凸部１７が形成され、また上面の中心には挿入凸部１９が形成されている。挿入凸部１９は先細りの丸棒状で、上方に向かって真っ直ぐに延びている。
【００１５】
符号２１は上面が開口する容器を示し、透明プラスチックによって構成されている。この容器２１の中心には持ち手としての柱状体２３が形成され、柱状体２３の約五分の三が容器２１の上面開口から上方に向かって突出している。また、柱状体２３の下端面には孔２５が形成され、この孔２５は容器２１の底面に開口を有している。上記挿入凸部１９と孔２５を有する柱状体２３とによって転倒防止手段が構成されている。
【００１６】
次にこのナメクジ駆除器１の使用方法について説明する。
まず、屋根部３の上部７を下部５から外して容器２１を露出させ、容器２１に、市販のナメクジ誘引剤Ｓを容器２１の容量の八分の一程度入れる。このナメクジ誘引剤Ｓはナメクジが食べることにより、ナメクジを駆除できるものである。
なお、市販のナメクジ誘引剤のほか、ビール等のナメクジに対し誘引作用のあるものを入れてもよいが、ビールを用いる場合は、容器２１の二分の一程度入れる。
【００１７】
次いで、上部７の下面開口を下部５の嵌合部９に嵌めて、図５に示すように菜園のナメクジが潜んでいそうな場所の近傍に配置する。このナメクジ駆除器１には屋根部３が備えられているので、容器２１に雨水が入るのを防ぐことができる。従って、誘引剤Ｓが雨水によって希釈される心配がない。また、ベース本体１５は皿を伏せたような形状で下面側が凹んでいるので、ベース本体１５の外周部の縁と支持凸部１７だけが地面Ｇに当接する。従って、多少凸凹した地面Ｇでも、その影響を受けずに安定してナメクジ駆除器１を設置することができる。
複数個のナメクジ駆除器１を持つ場合にはリング１１に指を入れてぶら下げるようにすれば、数個のナメクジ駆除器１を簡単に持ち運ぶことができる。
【００１８】
上記のようにナメクジ駆除器１をナメクジが潜んでいそうな場所の近傍に配置しておくと、誘引剤Ｓに誘引されて切り欠き１２から屋根部３内に進入する。更にナメクジは容器２１へ入り込み誘引剤Ｓを食べて駆除される（図６参照）。このように、ナメクジ駆除器１を設置して置くだけでナメクジを駆除することができる。
【００１９】
ナメクジＮが容器２１にある程度溜まったところで図２に示すように屋根部３の上部７を下部５から外して容器２１を露出させる。次いで、棒状体２３の上端部を摘んで持ち上げ、孔２５から挿入凸部１９を抜き、容器２１をベース１３から外す。そして、容器２１内のナメクジＮを捨て、洗浄してから孔２５に挿入凸部１９を入れて、容器２１をベース１３に載置する。次いで、上記したようにナメクジ誘引剤Ｓを容器２１に入れてから、上部５を下部７に装着して、再度菜園等の適宜の場所に配置する。
上記のようにこのナメクジ駆除器１では、駆除したナメクジＮの処理も簡単に行うことが可能である。
【００２０】
また、容器２１は透明プラスチックによって構成されているので、上部７を下部５からいちいち外さなくても、切り欠き１２から覗くだけでナメクジＮが容器２１に入っているか否かを確認することができる。
【００２１】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、挿入凸部１９と孔２５を有する柱状体２３とによって転倒防止手段を構成したが、本発明はこれに限定されず、転倒防止手段はベース本体１５の上面に設けた容器２１が嵌る円筒状体によって構成してもよく、またベース本体１５の上面に設けたベース本体１５上の容器２１を囲むように配置される複数の突起によって構成してもよい。更に屋根部の下部５の内周面に転倒防止手段としての複数の突出片を設け、この突出片を容器２１の周面に当接支持させる構成としてもよい。
【００２２】
屋根部の形状は上記したほぼ円錐形に限らず、如何なる形状であってもよく、例えばエッフェル塔等の建物や動物等を模したデザインの形状やドーム状等であってよい。このようなデザインを施すことにより意匠的な効果も発揮することができる。
また、屋根部３の上に人が倒れた場合の危険を回避するため、屋根部３に上方から一定以上の荷重が加わると、崩壊する強度に製作してもよい。この場合、屋根部３に予め傷を付けておく等の方法を採る。
【００２３】
ベース部１３の下面に杭を形成して、これを地面Ｇに突き刺すことによってナメクジ駆除器を固定する構成とすることも可能である。
また、上記実施の形態では容器２１を洗浄して再度使用したが、容器２１を使い捨てタイプとすることも可能であり、この場合には容器２１を生分解性のプラスチックにより構成すれば、自然環境を損なう心配がない。
なお、本発明のナメクジ駆除器は上記した屋外で使用するだけでなく、台所等の屋内に置いて使用することも可能である。
【図面の簡単な説明】
【００２４】
【図１】本発明の実施の形態に係るナメクジ駆除器の斜視図である。
【図２】図１のナメクジ駆除器の屋根部の上部を下部から外した状態の斜視図である。
【図３】図２のＡ−Ａ断面図である。
【図４】ベースから容器を持ち上げた状態の斜視図である。
【図５】ナメクジ駆除器を菜園に設置した状態の図である。
【図６】ナメクジ駆除器を菜園に設置した状態の縦断面図である。
【符号の説明】
【００２５】
１  ナメクジ駆除器      ３  屋根部      ５  屋根部の下部
７  屋根部の上部      ９  嵌合部      １１  リング
１２  切り欠き      １３  ベース      １５  ベース本体
１７  凸部      １９  挿入凸部      ２１  容器
２３  柱状体      ２５  孔
Ｎ  ナメクジ      Ｇ  地面      Ｓ  ナメクジ誘引剤
【図１】
2007151422.tif 000003
【図２】
2007151422.tif 000004
【図３】
2007151422.tif 000005
【図４】
2007151422.tif 000006
【図５】
2007151422.tif 000007
【図６】
2007151422.tif 000008